(57)【特許請求の範囲】
【請求項１】
操作端末と画像形成装置を有するアプリケーション画面テストシステムにおいて、
前記操作端末は、
アプリケーション画面テストコマンドを前記画像形成装置に送信するアプリケーション画面テストコマンド送信手段と、
キャプチャー画像を受信するキャプチャー画像受信手段と
を備え、
前記画像形成装置は、
アプリケーション画面テストコマンドを受信するアプリケーション画面テストコマンド受信手段と、
前記アプリケーション画面テストコマンドの解析によりコマンドリストを作成するコマンド解析手段と、
前記コマンドリストのコマンドを実行するコマンド実行手段と、
前記コマンドの実行により作成される画像を採取するキャプチャー手段と、
前記キャプチャー画像を送信するキャプチャー画像送信手段と
を備え、
前記アプリケーション画面テストコマンドによりアプリケーション画面をテストすることを特徴とする画像形成装置のアプリケーション画面テストシステム。
【請求項２】
前記アプリケーション画面は、ＨＴＭＬにより作成されるＧＵＩとアプリケーションを有することを特徴とする請求項１に記載の画像形成装置のアプリケーション画面テストシステム。
【請求項３】
前記ＧＵＩの実行が可能なブラウザー処理手段を備えることを特徴とする請求項２に記載の画像形成装置のアプリケーション画面テストシステム。
【請求項４】
前記アプリケーションの実行が可能なアプリケーション処理手段を備えることを特徴とする請求項２または請求項３に記載の画像形成装置のアプリケーション画面テストシステム。
【請求項５】
前記アプリケーション画面テストコマンドは、前記アプリケーション画面をテストするときに行う操作や前記操作に対する前記画像の採取を行う一連のコマンドを有することを特徴とする請求項１から請求項４のいずれか１項に記載の画像形成装置のアプリケーション画面テストシステム。
【発明の詳細な説明】
【技術分野】
【０００１】
本発明は、画像形成装置のアプリケーション画面におけるユーザーのテスト時間の削減に関する。
【背景技術】
【０００２】
最近の技術によれば、プリンター、多機能プリンター、多機能周辺装置、又は複合機（Ｍｕｌｔｉｆｕｎｃｔｉｏｎ  Ｐｅｒｉｐｈｅｒａｌ）である画像形成装置は、Ｗｅｂブラウザー（以下、「ブラウザー」という）の実行環境を備えている。これにより、ユーザーは、アプリケーション画面のＧＵＩ（Ｇｒａｐｈｉｃａｌ Ｕｓｅｒ ｉｎｔｅｒｆａｃｅ）をＨＴＭＬ（ＨｙｐｅｒＴｅｘｔ Ｍａｒｋｕｐ Ｌａｎｇｕａｇｅ）で作成することで、ブラウザーによりアプリケーション画面の表示及び操作を行うことができる。また、ユーザーは、作成したアプリケーション画面が正常に動作するかを確認するテストを行う必要がある。このため、ユーザーは画像形成装置の操作パネルにアプリケーション画面を表示し、全ての操作項目をポイントして、正しく動作するかを確認する作業を行う。しかし、このようなアプリケーション画面の確認作業を行っている間は、ユーザーは画像形成装置を占有しなければならない。この対策として、ハードウエアなどの装置がなくても試験できる環境を構築して、試験が実施できる方法が提供されている。例えば、特許文献１の仮想システムテスト方法およびそれに用いる仮想ユニットでは、ハードウェアユニットが全く無くても、アプリケーションプログラムを動作させることができ、かつアプリケーションプログラムの動作を視覚的に確認することを可能にしている。
【先行技術文献】
【特許文献】
【０００３】
【特許文献１】特開２００３−２３３５１３号公報
【発明の概要】
【発明が解決しようとする課題】
【０００４】
しかし、特許文献１の仮想システムテスト方法およびそれに用いる仮想ユニットでは、ハードウェアユニットが無くてもハードウェアユニットのアプリケーションプログラムを動作させることができるソフトウェア部品である仮想ユニットを作成するので、この仮想ユニットを作成するためのコストがかかるという問題があった。
【０００５】
本発明はこのような状況に鑑みてなされたものであり、上記課題を解決できる画像形成装置及び画像形成装置のアプリケーション画面テストシステムを提供することを目的とする。
【課題を解決するための手段】
【０００６】
本発明の画像形成装置のアプリケーション画面テストシステムは、操作端末と画像形成装置を有するアプリケーション画面テストシステムにおいて、前記操作端末は、アプリケーション画面テストコマンドを前記画像形成装置に送信するアプリケーション画面テストコマンド送信手段と、キャプチャー画像を受信するキャプチャー画像受信手段とを備え、前記画像形成装置は、アプリケーション画面テストコマンドを受信するアプリケーション画面テストコマンド受信手段と、前記アプリケーション画面テストコマンドの解析によりコマンドリストを作成するコマンド解析手段と、前記コマンドリストのコマンドを実行するコマンド実行手段と、前記コマンドの実行により作成される画像を採取するキャプチャー手段と、前記キャプチャー画像を送信するキャプチャー画像送信手段とを備え、前記アプリケーション画面テストコマンドによりアプリケーション画面をテストすることを特徴としている。
また、本発明の画像形成装置のアプリケーション画面テストシステムは、前記アプリケーション画面は、ＨＴＭＬにより作成されるＧＵＩとアプリケーションを有することを特徴としている。
また、本発明の画像形成装置のアプリケーション画面テストシステムは、前記ＧＵＩの実行が可能なブラウザー処理手段を備えることを特徴としている。
また、本発明の画像形成装置のアプリケーション画面テストシステムは、前記アプリケーションの実行が可能なアプリケーション処理手段を備えることを特徴としている。
また、本発明の画像形成装置のアプリケーション画面テストシステムの前記アプリケーション画面テストコマンドは、前記アプリケーション画面をテストするときに行う操作や前記操作に対する前記画像の採取を行う一連のコマンドを有することを特徴としている。
【発明の効果】
【０００７】
本発明の画像形成装置及び画像形成装置のアプリケーション画面テストシステムは、ユーザーが画像形成装置を占有することなく実際の画像形成装置を用いてアプリケーション画面のテストを容易に行うことができるので、画像形成装置のアプリケーション画面のテストを低コストで実施することができ、またユーザーのテスト時間を削減することができる。
【図面の簡単な説明】
【０００８】
【図１】本発明の実施形態に係るアプリケーション画面テストシステムの機能構成を示す図である。
【図２】本発明の実施形態に係るアプリケーション画面テスト実行手順を示す図である。
【図３】本発明の実施形態に係るアプリケーション画面の操作に対するアプリケーションの実行結果の表示例である。
【発明を実施するための形態】
【０００９】
まず、本発明を実施するための形態（以下、「実施形態」という）を、図面を参照して説明する。実施形態のブラウザーの実行環境を備えている画像形成装置において、ＨＴＭＬのアプリケーション画面（以下、「ＡＰ画面」という）のＧＵＩ、及びアプリケーションプログラム（以下、「アプリケーション」という）が実行する各々の操作と、それらの操作が実行された結果のＡＰ画面データを採取するＡＰ画面テストコマンドを実行することで、自動的にＡＰ画面のテストと結果の採取を行うものである。
【００１０】
実施形態におけるＡＰ画面テストシステム１０の機能構成について、図１を用いて説明する。図１に示すＡＰ画面テストシステム１０は、ＰＣ（パソコン）１００と画像形成装置２００で構成され、ＰＣ１００と画像形成装置２００は、ネットワーク３００で接続されている。ＰＣ１００は、ＡＰ画面テストコマンドを画像形成装置２００に送信し、また画像形成装置２００からＡＰ画面テストコマンドを実行した結果得られたＡＰ画面の画像（以下、「キャプチャー画像」という）を受信することができる操作端末である。画像形成装置２００は、プリンター、多機能プリンター、多機能周辺装置、又は複合機であり、ＰＣ１００からＡＰ画面テストコマンドを受信すると、ＡＰ画面テストコマンドを実行することでＡＰ画面の操作及びこの操作により得られたキャプチャー画像を採取し、ＰＣ１００に送信する。
【００１１】
まず、ＰＣ１００の機能構成について図１を用いて説明する。図１に示すようにＰＣ１００は、制御部１０１、補助記憶部１０２、操作表示部１０３、及びネットワーク通信部１０４を備え、これら各部はバスなどにより接続される構成となっている。
【００１２】
制御部１０１は、ＲＡＭやＲＯＭ等の主記憶手段、及びＣＰＵ(Central Processing Unit)等の制御手段を備えている。また、制御部１０１は、各種Ｉ／Ｏや、ＵＳＢ（ユニバーサル・シリアル・バス）等のインターフェース、バスコントローラー等を含む総合的なＰＣ１００のコントロールを行う。制御部１０１には、画像形成装置２００に対してＡＰ画面テストコマンドを送信するＡＰ画面テストコマンド送信処理部１０１ａ、及び画像形成装置２００からキャプチャー画像を受信するキャプチャー画像受信処理部１０１ｂが設けられている。ＡＰ画面テスト実行手順におけるＡＰ画面テストコマンド送信処理部１０１ａとキャプチャー画像受信処理部１０１ｂの処理手順については、後述する。
【００１３】
補助記憶部１０２は、フラッシュメモリー等からなる補助記憶装置で、制御部１０１が実行する処理のプログラムやデータを記憶する。補助記憶部１０２には、画像形成装置２００に送信するＡＰ画面テストコマンドを保存するＡＰ画面テストコマンド保存エリア１０２ａ、及び画像形成装置２００から受信するキャプチャー画像を保存するキャプチャー画像保存エリア１０２ｂが設けられている。
【００１４】
操作表示部１０３は、操作パネルを備え、ユーザーの操作を入力し、また操作結果や通知を表示する。
【００１５】
ネットワーク通信部１０４は、ネットワーク３００に接続するための着脱可能なＬＡＮインターフェースを備えている。ＬＡＮインターフェースには、ＴＣＰ／ＩＰ、ＡｐｐｌｅＴａｌｋ、ＳＭＢ等の各種ネットワークプロトコルのインテリジェントな送受信を行うネットワーク部を含んでいる。
【００１６】
次に、画像形成装置２００の機能構成について説明する。図１に示すように画像形成装置２００は、制御部２０１、補助記憶部２０２、記憶部２０３、ネットワーク通信部２０４、操作パネル２０５、操作パネル処理部２０６、原稿読取部２０７、画像形成部２０８、及び印刷部２０９を備えている。これらの各部は、バスなどにより接続されている。
【００１７】
制御部２０１は、ＭＰＵ(Micro Processing Unit)やＣＰＵ(Central Processing Unit)等による制御手段を備え、各種Ｉ／Ｏや、ＵＳＢ（ユニバーサル・シリアル・バス）等のインターフェース、バスコントローラー等を含む総合的な画像形成装置２００のコントロールを行う。制御部２０１には、ＡＰ画面テスト実行処理部２０１ａ、コマンド解析処理部２０１ｂ、コマンド実行処理部２０１ｃ、キャプチャー処理部２０１ｄ、ブラウザー処理部２０１ｅ、及びアプリケーション処理部２０１ｆの機能が設けられている。
【００１８】
ＡＰ画面テスト実行処理部２０１ａは、ＰＣ１００からＡＰ画面テストコマンドを受信するとＡＰ画面テストコマンドを実行し、採取したキャプチャー画像をＰＣ１００に送信する。コマンド解析処理部２０１ｂは、ＡＰ画面テスト実行処理部２０１ａから出力されるＡＰ画面テストコマンドを解析してコマンドリストを作成する。コマンド実行処理部２０１ｃは、コマンドリストからコマンドを取り出し実行する。キャプチャー処理部２０１ｄは、テストされるＡＰ画面の操作により作成されたＡＰ画面の画像をコマンドの実行により採取する。ブラウザー処理部２０１ｅは、ＨＴＭＬにより作成されたＡＰ画面のＧＵＩを実行する。アプリケーション処理部２０１ｆは、ＡＰ画面のアプリケーションを実行する。ＡＰ画面テスト実行手順におけるこれらの処理部の処理手順については、後述する。
【００１９】
補助記憶部２０２は、フラッシュメモリー等からなる補助記憶装置で、制御部２０１が実行する処理のプログラムやデータが記憶される。補助記憶部２０２には、テストされるＡＰ画面のＧＵＩ及びアプリケーションなどのデータ（以下、「ＡＰ画面処理データ」という）が保存されるＡＰ画面処理データ保存エリア２０２ａが設けられている。ＡＰ画面処理データは、ＡＰ画面テストを行う前にユーザーにより事前に保存しておく。また、補助記憶部２０２には、キャプチャー画像を保存するキャプチャー画像保存エリア２０２ｂが設けられている。
【００２０】
記憶部２０３は、データやプログラムを保存するハードディスクドライブまたは画像形成装置２００とケーブルで接続する取り外しが可能なＵＳＢメモリーなどである。記憶部２０３には、ＡＰ画面テストコマンドを保存するＡＰ画面テストコマンド保存エリア２０３ａを設けることができる。
【００２１】
ネットワーク通信部２０４は、ネットワーク３００に接続するための着脱可能なＬＡＮインターフェースを備えている。ＬＡＮインターフェースには、ＴＣＰ／ＩＰ、ＡｐｐｌｅＴａｌｋ、ＳＭＢ等の各種ネットワークプロトコルのインテリジェントな送受信を行うネットワーク部を含んでいる。
【００２２】
操作パネル２０５は、操作メニューの表示、ユーザーの指による操作を受け付ける。また、ユーザーは操作パネル２０５から画像形成装置２００に設定する各種情報を入力することができる。
【００２３】
操作パネル処理部２０６は、画像形成装置２００が備えている機能の操作項目を操作パネル２０５に表示する処理、及び操作パネル２０５からユーザーが行う操作に対する操作データを入力する処理を行う。
【００２４】
原稿読取部２０７は、画像形成装置２００の原稿台にセットされた原稿の読み取りを行うもので、ユーザーが操作パネル２０５から読み取り要求を行うことにより、原稿台にセットされた原稿の読み取りを行うことができる。
【００２５】
画像形成部２０８は、ユーザーからの読み取り要求により原稿読取部２０７で読み取った原稿を、印刷部２０９で印刷可能またはＦＡＸやメールで送信可能なイメージの画像データに変換する。
【００２６】
印刷部２０９は、ユーザーから印刷要求のあった画像データをコピー用紙などに印刷する。
【００２７】
次に、本発明の実施形態に係るＡＰ画面テスト実行手順について、図２と図３を用いて説明する。例えば、ユーザーが図３に示すＡＰ画面である「自動設定画面」のテストを行うときには、「自動設定画面」のＧＵＩ及びアプリケーションなどのＡＰ画面処理データを画像形成装置２００の補助記憶部２０２のＡＰ画面処理保存エリア２０２ａに保存する。また、ユーザーは、「自動設定画面」の「Ａ設定」、「Ｂ設定」、・・・「Ｍ設定」、「Ｎ設定」のエリアを押下指示するＡＰ画面テストコマンドを作成し、ＰＣ１００の補助記憶部１０２のＡＰ画面テストコマンド保存エリア１０２ａに保存する。以下、ＡＰ画面テスト実行手順について、図２のステップ順に説明する。
【００２８】
（ステップＳ１０１）
まず、ユーザーがＰＣ１００の操作表示部１０３からＡＰ画面テストコマンドの送信要求を行うと、操作表示部１０３からＡＰ画面テストコマンド送信処理部１０１ａにＡＰ画面テストコマンド送信要求が出力される。
【００２９】
（ステップＳ１０２）
次いで、ＡＰ画面テストコマンド送信処理部１０１ａは、補助記憶部１０２のＡＰ画面テストコマンド保存エリア１０２ａからＡＰ画面テストコマンドを取り出し、ネットワーク通信部１０４を経由して画像形成装置２００に送信する。
【００３０】
（ステップＳ１０３）
次いで、画像形成装置２００のＡＰ画面テスト実行処理部２０１ａは、ＰＣ１００のＡＰ画面テストコマンド送信処理部１０１ａから送信されたＡＰ画面テストコマンドを受信すると、コマンド解析処理部２０１ｂに出力する。
【００３１】
（ステップＳ１０４）
次いで、コマンド解析処理部２０１ｂは、ＡＰ画面テストコマンドを入力すると、ＡＰ画面テストコマンドを解析して複数の実行形式のコマンドに変換し、これらのコマンドからコマンドリストを作成する。また、コマンド解析処理部２０１ｂは、作成したコマンドリストをＡＰ画面テスト実行処理部２０１ａに出力する。
【００３２】
（ステップＳ１０５）
次いで、ＡＰ画面テスト実行処理部２０１ａは、コマンドリストを入力すると、コマンドリストから一連の処理を実行するコマンドを取り出し、コマンド実行処理部２０１ｃに出力する。
【００３３】
（ステップＳ１０６）
次いで、コマンド実行処理部２０１ｃは、コマンドを入力すると、補助記憶部２０２ａのＡＰ画面処理データ保存エリア２０２ａからＡＰ画面処理データを取り出し、このＡＰ画面処理データに対してコマンドを実行する。つまり、コマンドは、ＡＰ画面処理に対するテスト手順のデータであるので、コマンドを実行することで、ＡＰ画面処理データのＡＰ画面に対する操作が行われる。また、コマンド実行処理部２０１ｃは、コマンドの実行においてブラウザーを実行するときには、ブラウザー処理部２０１ｅにブラウザー実行要求を出力する。例えば、コマンドが図３に示すＸ座標（ｘ１、ｘ２）、Ｙ座標（ｙ１、ｙ２）の押下指示であれば、Ｘ座標（ｘ１、ｘ２）、Ｙ座標（ｙ１、ｙ２）に対応する「Ｂ設定」が押下指示されたときの処理が実行される。
【００３４】
（ステップＳ１０７）
次いで、ブラウザー処理部２０１ｅは、ブラウザー実行要求を入力すると、ブラウザーを実行する。また、ブラウザーがアプリケーションを実行するときには、アプリケーション処理部２０１ｆにアプリケーション実行要求を出力する。
【００３５】
（ステップＳ１０８）
次いで、アプリケーション処理部２０１ｆは、アプリケーション実行要求を入力すると、アプリケーションを実行する。そして、アプリケーション処理部２０１ｆは、アプリケーションの実行を終了すると、アプリケーション実行終了をブラウザー処理部２０１ｅに出力する。
【００３６】
（ステップＳ１０９）
次いで、ブラウザー処理部２０１ｅは、アプリケーション実行終了を入力し、また、ブラウザーの実行を終了すると、ブラウザー実行終了をコマンド実行処理部２０１ｃに出力する。
【００３７】
（ステップＳ１１０）
次いで、コマンド実行処理部２０１ｃは、ブラウザー実行終了を入力すると、キャプチャー処理部２０１ｄにＡＰ画面キャプチャー要求を出力する。なお、ブラウザーの実行が終了した場合でも、キャプチャー画像が完全に作成されていない場合があるので、ＡＰ画面キャプチャー要求については、予め決められた時間（インターバル）の経過後にＡＰ画面キャプチャー要求を出力することも可能である。
【００３８】
（ステップＳ１１１）
次いで、キャプチャー処理部２０１ｄは、ＡＰ画面キャプチャー要求のＡＰ画面のキャプチャー画像を採取すると、コマンド実行処理部２０１ｃに出力する。例えば、図３に示す「自動設定画面」の「Ｂ設定」を押下指示することで「Ｂ設定の実行結果」が表示されるときには、この表示された「Ｂ設定の実行結果」のキャプチャー画像が採取される。
【００３９】
（ステップＳ１１２）
次いで、コマンド実行処理部２０１ｃは、キャプチャー画像を入力すると、ＡＰ画面テスト実行処理部２０１ａに出力する。
【００４０】
（ステップＳ１１３）
次いで、ＡＰ画面テスト実行処理部２０１ａは、キャプチャー画像を入力すると、補助記憶部２０２のキャプチャー画像保存エリア２０２ｂに保存する。また、ＡＰ画面テスト実行処理部２０１ａは、コマンドリストから次の一連の処理を実行するコマンドを取り出し、コマンド実行処理部２０１ｃに出力し、コマンド実行処理部２０１ｃからキャプチャー画像を入力すると補助記憶部２０２のキャプチャー画像保存エリア２０２ｂに保存する。このように、ステップＳ１０５からステップＳ１１２が行われ、コマンドリストにおいて全てのコマンドの実行が終了すると、ＡＰ画面テスト実行処理部２０１ａは、補助記憶部２０２のキャプチャー画像保存エリア２０２ｂからキャプチャー画像を取り出し、ネットワーク通信部２０４を経由してＰＣ１００に送信する。
【００４１】
（ステップＳ１１４）
次いで、ＰＣ１００のキャプチャー画像受信処理部１０１ｂは、画像形成装置２００のＡＰ画面テスト実行処理部２０１ａから送信されたキャプチャー画像を入力すると、補助記憶部１０２のキャプチャー画像保存エリア１０２ｂに保存する。また、キャプチャー画像受信処理部１０１ｂは、キャプチャー画像の受信通知を操作表示部１０３に出力する。
【００４２】
（ステップＳ１１５）
次いで、操作表示部１０３は、キャプチャー画像の受信通知を入力すると操作パネルに表示し、ユーザーがキャプチャー画像の受信通知を確認する。次いで、ユーザーが操作表示部１０３からキャプチャー画像を表示させる操作を行うと、操作表示部１０３は、キャプチャー画像保存エリア１０２ｂからキャプチャー画像取り出し、操作パネルに表示する。
【００４３】
以上のような実施形態のＡＰ画面テストシステム１０において、まずユーザーが画像形成装置２００のＡＰ画面を作成して、ＡＰ画面のＧＵＩ及びアプリケーションなどのＡＰ画面処理データを画像形成装置２００に保存する。次にユーザーは、ＡＰ画面をテストするときに行う操作やその操作に対するキャプチャー画像を採取する操作を実行する一連の処理を実行するコマンドを有するＡＰ画面テストコマンドを作成し、ＰＣ１００に保存する。次に、ユーザーがＰＣ１００からＡＰ画面テストコマンドの送信要求を行うと、ＡＰ画面テストコマンドが画像形成装置２００に送信され、画像形成装置２００でＡＰ画面テストコマンドが実行される。画像形成装置２００は、ＡＰ画面テストコマンドの実行により採取したキャプチャー画像をＰＣ１００に送信すると、ユーザーはＰＣ１００からキャプチャー画像を確認することができる。このように、ユーザーは１つ１つＡＰ画面の操作を自分で行いながら操作の結果を確認するのでなく、画像形成装置２００のＡＰ画面のＡＰ画面テストコマンドを作成して画像形成装置２００で実行させることで、ＡＰ画面のテスト結果をＰＣ１００で容易に確認することができる。従って、ＡＰ画面のテストにおいてユーザーの作業効率が向上し、またユーザーが画像形成装置２００の操作パネル２０５を占有しないので、画像形成装置２００の仮想ユニットなどを作成することなく低コストでユーザーはＡＰ画面テストを行うことができる。
【００４４】
なお、実施形態においては、作成したＡＰ画面テストコマンドをＰＣ１００に保存するようにしたが、記憶部２０３にＡＰ画面テストコマンドを保存するＡＰ画面テストコマンド保存エリア２０３ａを設け、このＡＰ画面テストコマンド保存エリア２０３ａにＡＰ画面テストコマンドを保存しておき、ＰＣ１００からのＡＰ画面テストコマンドを実行させることも可能である。
また、ＡＰ画面処理データ保存エリア２０２ａに複数のＡＰ画面のＡＰ画面処理データを保存し、この複数のＡＰ画面処理データに対応するＡＰ画面テストコマンドをＡＰ画面テストコマンド保存エリア１０２ａに保存しておくことで、複数のＡＰ画面のテストを実施することも可能である。
また、ＰＣ１００から画像形成装置２００にＡＰ画面テストコマンドを送信するようにしたが、ＰＣ１００に限定されず、ネッワーク３００により画像形成装置１００と接続可能な携帯電話、携帯端末、または他の画像形成装置であっても、ＡＰ画面テストコマンドを画像形成装置２００に送信し、キャプチャー画像を確認することが可能である。
【００４５】
このような本発明の画像形成装置及び画像形成装置のアプリケーション画面テストシステムは、ユーザーが画像形成装置を占有することなく実際の画像形成装置を用いてアプリケーション画面のテストを容易に行うことができるので、画像形成装置のアプリケーション画面のテストを低コストで実施することができ、またユーザーのテスト時間を削減することができる。
【００４６】
以上、具体的な実施の形態により本発明を説明したが、上記実施の形態は本発明の例示であり、この実施の形態に限定されないことは言うまでもない。
【産業上の利用可能性】
【００４７】
本発明は、画像形成装置に好適であるが、画像形成装置に限られるものではなく、コマンドを実行できる装置一般に適用できる。
【符号の説明】
【００４８】
１０・・・・・ＡＰ画面テストシステム
１００・・・・・ＰＣ
１０１・・・・・制御部
１０１ａ・・・・ＡＰ画面テストコマンド送信処理部
１０１ｂ・・・・キャプチャー画像受信処理部
１０２・・・・・補助記憶部
１０２ａ・・・・ＡＰ画面テストコマンド保存エリア
１０２ｂ・・・・キャプチャー画像保存エリア
１０３・・・・・操作表示部
１０４・・・・・ネットワーク通信部
２００・・・・・画像形成装置
２０１・・・・・制御部
２０１ａ・・・・ＡＰ画面テスト実行処理部
２０１ｂ・・・・コマンド解析処理部
２０１ｃ・・・・コマンド実行処理部
２０１ｄ・・・・キャプチャー処理部
２０１ｅ・・・・ブラウザー処理部
２０１ｆ・・・・アプリケーション処理部
２０２・・・・・補助記憶部
２０２ａ・・・・ＡＰ画面処理データ保存エリア
２０２ｂ・・・・キャプチャー画像保存エリア
２０３・・・・・記憶部
２０３ａ・・・・ＡＰ画面テストコマンド保存エリア
２０４・・・・・ネットワーク通信部
２０５・・・・・操作パネル
２０６・・・・・操作パネル処理部
２０７・・・・・原稿読取部
２０８・・・・・画像形成部
２０９・・・・・印刷部
３００・・・・・ネットワーク
【図１】
0005943889.tif 000002
【図２】
0005943889.tif 000003
【図３】
0005943889.tif 000004